(57)【特許請求の範囲】
【請求項１】
所定の物理量を計測する計測手段と、この計測手段によって計測された物理量を計測値として唯一の表示部に表示する表示手段と、各種異常を検出する異常検出手段とを備えた計測機器において、
前記異常検出手段によって検出された異常が前記計測値の信頼性に影響を与える第１種の異常であった場合、その第１種の異常の内容を示す情報を前記計測値に代えて前記表示部に表示する一方、前記異常検出手段によって検出された異常が前記計測値の信頼性に影響を与えない第２種の異常であった場合、その第２種の異常の内容を示す情報を前記計測値とともに前記表示部に表示する異常表示手段
を備えることを特徴とする計測機器。
【請求項２】
請求項１に記載された計測機器において、
前記異常表示手段は、
前記異常検出手段によって検出された異常が前記第２種の異常であった場合、その検出された第２の異常の内容を示す情報と前記計測値とを前記表示部に交互に切り替えて表示する
ことを特徴とする計測機器。
【請求項３】
請求項１に記載された計測機器において、
前記異常表示手段は、
前記異常検出手段によって検出された異常が複数種類の前記第１種の異常であった場合、前記計測値に代えて、その検出された第１種の異常の種類毎の異常の内容を示す情報を所定の無表示期間を挾んで前記表示部に順次切り替えて表示する一方、
前記異常検出手段によって検出された異常が複数種類の前記第２種の異常であった場合、その検出された第２種の異常の種類毎の異常の内容を示す情報を前記計測値を挾んで前記表示部に順次切り替えて表示する
ことを特徴とする計測機器。
【請求項４】
請求項１に記載された計測機器において、
前記異常表示手段は、
前記異常検出手段によって検出された異常が複数種類の前記第１種の異常であった場合、前記計測値に代えて、その検出された第１種の異常の種類毎の異常の内容を示す情報を所定の無表示期間を挾んで前記表示部に順次切り替えて表示する一方、
前記異常検出手段によって検出された異常が複数種類の前記第２種の異常であった場合、前記計測値の表示を一時中断し、その検出された第２種の異常の種類毎の異常の内容を示す情報を所定の無表示期間を挾んで前記表示部に順次切り替えて表示する
ことを特徴とする計測機器。
【請求項５】
請求項１に記載された計測機器において、
前記異常表示手段は、
前記異常検出手段によって検出された異常が全て前記第２種の異常であった場合にのみ、その第２種の異常の内容を示す情報を前記計測値とともに前記表示部に表示する
ことを特徴とする計測機器。
【請求項６】
請求項５に記載された計測機器において、
前記異常表示手段は、
前記異常検出手段によって検出された異常に前記第１種の異常と前記第２種の異常が含まれていた場合、前記計測値に代えて、その第１種の異常の内容を示す情報と第２の異常の内容を示す情報を所定の無表示期間を挟んで前記表示部に順次切り替えて表示する
ことを特徴とする計測機器。
【請求項７】
請求項１〜６の何れか１項に記載された計測機器において、
前記表示部は、セグメント群によって構成されている
ことを特徴とする計測機器。
【発明の詳細な説明】
【技術分野】
【０００１】
この発明は、差圧などの所定の物理量を計測し表示する計測機器に関するものである。
【背景技術】
【０００２】
従来より、差圧を計測する差圧発信器などの計測機器は、現場のプロセスに設置されて所定の物理量の計測を行い、その計測された物理量を計測値として表示する表示部を有している。
【０００３】
このような計測機器の中には、各種の異常を検出する診断機能を有する高度な機器もあり、この診断機能により何らかの異常が検出された場合は、その異常の種類を示す異常コードを表示部に表示する。
【０００４】
この場合の異常コードの表示方法として、例えば、図１７に示すように、計測値の表示部ＤＳ１とは別に異常コードの表示部ＤＳ２を設け、この表示部ＤＳ２に異常コードを表示するという表示方法が採用されている（例えば、特許文献１参照）。
【０００５】
【特許文献１】特開２０００−２４８９６７号公報
【発明の開示】
【発明が解決しようとする課題】
【０００６】
しかしながら、図１７に示されたような異常コードの表示方法では、計測値の表示部ＤＳ１とは別に異常コードの表示部ＤＳ２を設けなければならず、高価となる。
【０００７】
また、図１７に示されたような異常コードの表示方法では、検出される異常の種別に拘わらず、表示部ＤＳ１に計測値が継続して表示される。この場合、異常の種別には、計測値の信頼性に影響を与える異常（重故障（第１種の異常））と、計測値の信頼性に影響を与えない異常（軽故障（第２種の異常））とがある。重故障の場合は、もはや計測値の表示を行っても意味が無く、かえって、信頼性のない計測値を表示することによって、監視者に誤った認識を与えるといった弊害を招く。
【０００８】
これに対し、計測値の表示部ＤＳ１だけを設け（図１８（ａ）参照）、何らかの異常が検出された場合、表示部ＤＳ１での計測値の表示を中止し、この計測値に代えて、表示部ＤＳ１に異常コードを表示するという表示方法が考えられる（図１８（ｂ）参照）。これにより、表示部が１つで済み、安価となる。
【０００９】
しかし、図１８に示した異常コードの表示方法では、検出される異常の種別に拘わらず、表示部ＤＳ１での計測値の表示が中止され、この計測値に代えて、その異常コードが表示部ＤＳ１に表示される。この表示方法では、重故障の場合、信頼性のない計測値が表示されないので、監視者に誤った認識を与えるということはないが、軽故障の場合、計測値にはある程度信頼性がある若しくは故障を解析する上で有用であるにも拘らず、その計測値の表示が中止されてしまうので、計測値を監視するうえで支障が生じる。
【００１０】
本発明は、このような課題を解決するためになされたもので、その目的とするところは、計測値と異常の内容を示す情報との表示部を１つとした安価な構成で、軽故障が生じた際の計測値の監視も継続することができる計測機器を提供することにある。
【課題を解決するための手段】
【００１１】
このような目的を達成するために本発明は、所定の物理量を計測する計測手段と、この計測手段によって計測された物理量を計測値として唯一の表示部に表示する表示手段と、各種異常を検出する異常検出手段とを備えた計測機器において、異常検出手段によって検出された異常が計測値の信頼性に影響を与える第１種の異常であった場合、その第１種の異常の内容を示す情報を計測値に代えて表示部に表示する一方、異常検出手段によって検出された異常が計測値の信頼性に影響を与えない第２種の異常であった場合、その第２種の異常の内容を示す情報を計測値とともに表示部に表示する異常表示手段を設けたものである。
【００１２】
この発明によれば、第１種の異常（以下、この異常を本発明では便宜的に重故障とも呼ぶ）が発生した場合、その重故障の内容を示す情報が計測値に代えて、唯一の表示部に表示される。第２種の異常（以下、この異常を本発明では便宜的に軽故障とも呼ぶ）が発生した場合、その軽故障の内容を示す情報が計測値とともに、唯一の表示部に表示される。これにより、計測値と異常の内容を示す情報との表示部を１つとした構成とし、かつ、軽故障が発生した場合でも、計測値の監視を継続することができる。
【００１３】
本発明では、軽故障が発生した場合、その軽故障の内容を示す情報を計測値とともに表示部に表示する。この場合、例えば、軽故障の内容を示す情報と計測値とを表示部に交互に切り替えて表示するようにし、軽故障の内容を示す情報と計測値とを交互に知らせるようにする。なお、表示部における計測値の表示桁を余分に設けて、その余分に設けた桁に軽故障の内容を示す情報を表示するようにしてもよい。この場合、軽故障の内容を示す情報は、その詳細な情報ではなく、軽故障であることのみを示す情報であってもよい。
【００１４】
本発明において、異常検出手段によって検出される異常は、複数種類の重故障である場合もあるし、複数種類の軽故障である場合もある。
複数種類の重故障である場合、計測値に代えて、その検出された重故障の種類毎の重故障の内容を示す情報を所定の無表示期間を挾んで表示部に順次切り替えて表示するようにすると（重故障１→無表示→重故障２→無表示→・・・・→無表示→重故障ｎの繰り返し）、無表示期間を間に挾んで、その表示内容の変化を大として、重故障の内容を示す情報を明確に区別して知らせることができる。
複数種類の軽故障である場合、その検出された軽故障の種類毎の軽故障の内容を示す情報を計測値を挾んで表示部に順次切り替えて表示するようにすると（軽故障１→計測値→軽故障２→計測値→・・・・→計測値→軽故障ｎの繰り返し）、計測値の表示期間を間に挾んで、その表示内容の変化を大として、軽故障の内容を示す情報を明確に区別して知らせることができる。
なお、複数種類の軽故障である場合、計測値の表示を一時中断し、その検出された軽故障の種類毎の軽故障の内容を示す情報を所定の無表示期間を挾んで表示部に順次切り替えて表示するようにしてもよい（測定値→軽故障１→無表示→軽故障２→・・・・無表示→軽故障ｎ→測定値の繰り返し）。
【００１５】
また、本発明において、異常検出手段によって検出される異常は、重故障と軽故障とが入り混じっている場合もある。重故障が生じている場合には、いくら軽故障があったからといって、計測値に信頼性はない。このようなことを考慮して、本発明では、異常検出手段によって検出された異常が全て軽故障であった場合にのみ、その軽故障の内容を示す情報を計測値とともに表示部に表示するようにする。また、異常検出手段によって検出された異常に重故障と軽故障が含まれていた場合、計測値に代えて、その重故障の内容を示す情報と軽故障の内容を示す情報を所定の無表示期間を挟んで表示部に順次切り替えて表示するようにする。例えば、重故障の一群について、その重故障の内容を示す情報を無表示期間を挟んで表示した後、軽故障の１群について、その軽故障の内容を示す情報を無表示期間を挟んで表示するようにしたりする。
【００１６】
また、本発明において、重故障の内容を示す情報や軽故障の内容を示す情報を順次切り替えて表示する場合、重要度の高い順に表示するようにしたりすることも考えられる。また、表示部は、ドットマトリックス方式のＬＣＤなどを用いてもよいが、７セグメント群や１６セグメント群などのセグメント方式とすると、消費電力を小さくすることができるし、その構成も安価となる。７セグメントでは、１０種類の数字に加えて、いくつかのアルファベット文字を表示することが可能であるが、その数が限られている。１６セグメントとすれば、さらに表示する文字の種類を増やすことができる。
【発明の効果】
【００１７】
本発明によれば、重故障（第１種の異常）が発生した場合、その重故障の内容を示す情報が計測値に代えて唯一の表示部に表示され、軽故障（第２種の異常）が発生した場合、その軽故障の内容を示す情報が計測値とともに唯一の表示部に表示されるので、計測値と異常の内容を示す情報との表示部を１つとした安価な構成で、軽故障が生じた際の計測値の監視も継続することができるようになる。
【発明を実施するための最良の形態】
【００１８】
以下、本発明を図面に基づいて詳細に説明する。
〔実施の形態１：基本例〕
図１〜図３はこの発明に係る計測機器における異常コードの表示方法の基本例を説明する図である。図１は異常が発生していない場合を示し、図２は計測値の信頼性に影響を与える異常（重故障（第１種の異常））が発生した場合を示し、図３は計測値の信頼性に影響を与えない異常（軽故障（第２種の異常））が発生した場合を示している。
【００１９】
この基本例では、計測機器を差圧発信器１とし、この差圧発信器１に計測値の表示部ＤＳ１だけを設ける（図１参照）。差圧発信器１は、各種の異常を検出する診断機能を有しており、この診断機能により重故障や軽故障を検出する。
【００２０】
〔重故障が検出された場合の表示例〕
差圧発信器１は、重故障が検出された場合、表示部ＤＳ１での計測値の表示を中止し、この計測値に代えて、表示部ＤＳ１にその重故障の内容を示す異常コードを表示する（図２（ａ），（ｂ）参照）。差圧発信器１は、重故障が検出されている間、この重故障の内容を示す異常コードの表示を継続して行う。
【００２１】
〔軽故障が検出された場合の表示例〕
差圧発信器１は、軽故障が検出された場合、その軽故障の内容を示す異常コードと計測値とを表示部ＤＳ１に交互に切り替えて表示する（図３（ａ），（ｂ）参照）。差圧発信器１は、軽故障が検出されている間、その軽故障の内容を示す異常コードと計測値との交互表示を繰り返す。
【００２２】
このような異常コードの表示方法とすることにより、計測値と異常の内容を示す情報との表示部を１つとした構成とし、かつ、軽故障が発生した場合でも、計測値の監視を継続することができるようになる。
【００２３】
なお、この基本例では、軽故障が検出された場合、その軽故障の内容を示す異常コードと計測値とを表示部ＤＳ１に交互に切り替えて表示するようにしたが、表示部ＤＳ１における計測値の表示桁を余分に設けて（図４（ａ）参照）、すなわち計測値の表示桁１ａに加えて余分な桁１ｂを設け、この余分に設けた桁１ｂに軽故障の内容を示す情報を表示するようにしてもよい（図４（ｂ）参照）。
【００２４】
図４（ｂ）に示した例では、余分に設けた桁１ｂに、軽故障の内容を示す異常コードのうち、軽故障であることを示す「ＡＬ」の文字を表示させている。この軽故障であることを示す「ＡＬ」の文字も本発明でいう第２種の異常（軽故障）の内容を示す情報の定義に含まれるものである。
【００２５】
〔実施の形態２：複数種類の異常が検出された場合〕
実施の形態１では、重故障や軽故障の個々の種別については述べなかったが、重故障や軽故障には色々な種別がある。すなわち、複数種類の重故障が検出されることもあり、複数種類の軽故障が検出されることもある。
【００２６】
〔重故障が複数種類検出された場合の表示例〕
図５は重故障が複数種類検出された場合の表示部ＤＳ１における異常コードの表示例を説明する図である。異常が発生していない場合、差圧発信器１は、表示部ＤＳ１に計測値を表示している（図５（ａ））。ここで、重故障として、重故障１と重故障２の２種類が検出されたとする。
【００２７】
この場合、差圧発信器１は、表示部ＤＳ１における計測値の表示を中止し、この計測値に代えて、重故障１の内容を示す異常コード「Ｅｒｒ．０１」を表示部ＤＳ１に表示する（図５（ｂ））。そして、所定時間経過後、所定時間の間、表示部ＤＳ１を無表示とする（図５（ｃ））。そして、この無表示期間の後、重故障２の内容を示す異常コード「Ｅｒｒ．０２」を表示部ＤＳ１に表示する（図５（ｄ））。そして、所定時間経過後、所定時間の間、表示部ＤＳ１を無表示とした後（図５（ｅ））、重故障１の内容を示す異常コード「Ｅｒｒ．０１」の表示に戻る（図５（ｂ））。以下、同様動作を繰り返す。
【００２８】
このような動作の繰り返しにより、表示部ＤＳ１において、重故障１の内容を示す異常コード「Ｅｒｒ．０１」と重故障２の内容を示す異常コード「Ｅｒｒ．０２」とが交互に無表示期間を挾んで表示されるものとなる。
【００２９】
これにより、無表示期間を間に挾んで、その表示内容の変化を大として、重故障１の内容を示す異常コードと重故障２の内容を示す異常コードとを明確に区別して知らせることができるようになる。
【００３０】
すなわち、無表示期間がない場合、重故障１の内容を示す異常コードが例えば「Ｅｒｒ．０６」と表示され、重故障２の内容を示す異常コードが例えば「Ｅｒｒ．０８」と表示されると、変化する部分が少なく、そのコードの変化を見逃してしまう虞れがある。これに対して、異常コードを切り替える際に、無表示期間を設けることによって、異常コードに変化があることを明確に知らせることができ、そのコードの変化を見逃してしまう虞れをなくすことが可能となる。
【００３１】
なお、この例では、説明を簡単とするために、重故障１と重故障２の２種類が検出されたものとしたが、さらに多種類の重故障が検出された場合にも、同様にして、表示部ＤＳ１に、その検出された重故障の内容を示す異常コードが無表示期間を挟んで順次切り替えて表示されるものとなる。
【００３２】
〔軽故障が複数種類検出された場合の表示例１〕
図６は軽故障が複数種類検出された場合の表示部ＤＳ１における異常コードの表示例（表示例１）を説明する図である。異常が発生していない場合、差圧発信器１は、表示部ＤＳ１に計測値を表示している（図６（ａ））。ここで、軽故障として、軽故障１と軽故障２の２種類が検出されたとする。
【００３３】
この場合、差圧発信器１は、表示部ＤＳ１における計測値の表示を中断し、軽故障１の内容を示す異常コード「ＡＬ．０１」を表示部ＤＳ１に表示する（図６（ｂ））。そして、所定時間経過後、所定時間の間、表示部ＤＳ１に計測値を表示する（図６（ｃ））。そして、この計測値の表示後、軽故障２の内容を示す異常コード「ＡＬ．０２」を表示部ＤＳ１に表示し（図６（ｄ））、所定時間経過後、計測値の表示に戻る（図６（ａ））。以下、同様動作を繰り返す。
【００３４】
このような動作の繰り返しにより、表示部ＤＳ１において、軽故障１の内容を示す異常コード「ＡＬ．０１」と軽故障２の内容を示す異常コード「ＡＬ．０２」とが計測値を挟んで順次切り替えて表示されるものとなる。
【００３５】
これにより、計測値の表示期間を間に挾んで、その表示内容の変化を大として、軽故障１の内容を示す異常コードと軽故障２の内容を示す異常コードとを明確に区別して知らせることができるようになる。
【００３６】
すなわち、計測値を間に挟まなかった場合、軽故障１の内容を示す異常コードが例えば「ＡＬ．０６」と表示され、軽故障２の内容を示す異常コードが例えば「ＡＬ．０８」と表示されると、変化する部分が少なく、そのコードの変化を見逃してしまう虞れがある。これに対して、異常コードを切り替える際に、計測値を間に挟むことによって、異常コードに変化があることを明確に知らせることができ、そのコードの変化を見逃してしまう虞れをなくすことが可能となる。
【００３７】
なお、この例では、説明を簡単とするために、軽故障１と軽故障２の２種類が検出されたものとしたが、さらに多種類の軽故障が検出された場合にも、同様にして、表示部ＤＳ１に、その検出された軽故障の内容を示す異常コードが計測値を挟んで順次切り替えて表示されるものとなる。
【００３８】
〔軽故障が複数種類検出された場合の表示例２〕
図７は軽故障が複数種類検出された場合の表示部ＤＳ１における異常コードの別の表示例（表示例２）を説明する図である。異常が発生していない場合、差圧発信器１は、表示部ＤＳ１に計測値を表示している（図７（ａ））。ここで、軽故障として、軽故障１と軽故障２の２種類が検出されたとする。
【００３９】
この場合、差圧発信器１は、表示部ＤＳ１における計測値の表示を中断し、軽故障１の内容を示す異常コード「ＡＬ．０１」を表示部ＤＳ１に表示する（図７（ｂ））。そして、所定時間経過後、所定時間の間、表示部ＤＳ１を無表示とする（図７（ｃ））。そして、この無表示期間の後、軽故障２の内容を示す異常コード「ＡＬ．０２」を表示部ＤＳ１に表示し（図７（ｄ））、所定時間経過後、計測値の表示に戻る（図７（ａ））。以下、同様動作を繰り返す。
【００４０】
このような動作の繰り返しにより、表示部ＤＳ１に、計測値と軽故障の内容を示す異常コードの一群が交互に切り替えて表示され、軽故障の内容を示す異常コードの一群において、軽故障１の内容を示す異常コード「ＡＬ．０１」と軽故障２の内容を示す異常コード「ＡＬ．０２」とが無表示時間を挟んで表示されるものとなる。
【００４１】
これにより、計測値の表示期間を間に挾んで、その表示内容の変化を大として、また無表示期間を間に挾んで、その表示内容の変化を大として、軽故障１の内容を示す異常コードと軽故障２の内容を示す異常コードとを明確に区別して知らせることができるようになる。
【００４２】
なお、この例では、説明を簡単とするために、軽故障１と軽故障２の２種類が検出されたものとしたが、さらに多種類の軽故障が検出された場合にも、同様にして、表示部ＤＳ１に、計測値と軽故障の内容を示す異常コードの一群が交互に切り替えて表示され、軽故障の内容を示す異常コードの一群において、軽故障の内容を示す異常コードが無表示期間を挟んで順次切り替えて表示されるものとなる。
【００４３】
〔軽故障が複数種類検出された場合の表示例３〕
図６に示した例では、計測値の表示期間と軽故障の内容を示す異常コードの表示期間との間に無表示期間を設けなかったが、図８に示すように、その間に無表示期間を設けるようにしてもよい。
【００４４】
〔軽故障が複数種類検出された場合の表示例４〕
図７に示した例では、計測値の表示期間と軽故障の内容を示す異常コードの表示期間との間に無表示期間を設けなかったが、図９に示すように、その間に無表示期間を設けるようにしてもよい。
【００４５】
〔実施の形態３：重故障と軽故障とが入り混じっている場合〕
実施の形態１，２では、重故障のみが検出された場合の表示例、軽故障のみが検出された場合の表示例について、説明した。重故障や軽故障は、実際には、入り混じって発生する。重故障が生じている場合には、いくら軽故障があったからといって、計測値に信頼性はない。
【００４６】
このようなことを考慮して、実施の形態３では、検出された異常が全て軽故障であった場合にのみ、その軽故障の内容を示す異常コードを図６〜図９で説明したような方法で表示し、重故障と軽故障とが入り混じっている場合には、重故障の内容を示す異常コードおよび軽故障の内容を示す異常コードを無表示期間を挟んで表示部ＤＳ１に表示する。
【００４７】
図１０は、異常が発生していない場合、差圧発信器１は、表示部ＤＳ１に計測値を表示している（図１０（ａ））。ここで、重故障として、重故障１と重故障２の２種類が検出され、軽故障として、軽故障１と軽故障２の２種類が検出されたとする。
【００４８】
この場合、差圧発信器１は、表示部ＤＳ１における計測値の表示を中止し、この計測値に代えて、重故障１の内容を示す異常コード「Ｅｒｒ．０１」を表示部ＤＳ１に表示する（図１０（ｂ））。そして、所定時間経過後、所定時間の間、表示部ＤＳ１を無表示とする（図１０（ｃ））。そして、この無表示期間の後、重故障２の内容を示す異常コード「Ｅｒｒ．０２」を表示部ＤＳ１に表示し（図１０（ｄ））、所定時間経過後、所定時間の間、表示部ＤＳ１を無表示とする（図１０（ｅ））。
【００４９】
次に、差圧発信器１は、軽故障１の内容を示す異常コード「ＡＬ．０１」を表示部ＤＳ１に表示し（図１０（ｆ））、所定時間経過後、所定時間の間、表示部ＤＳ１を無表示とする（図１０（ｇ））。そして、この無表示期間の後、軽故障２の内容を示す異常コード「ＡＬ．０２」を表示部ＤＳ１に表示し（図１０（ｈ））、所定時間経過後、所定時間の間、表示部ＤＳ１を無表示とした後（図１０（ｉ））、重故障１の内容を示す異常コード「Ｅｒｒ．０１」の表示に戻る（図１０（ｂ））。以下、同様動作を繰り返す。
【００５０】
このような動作の繰り返しにより、表示部ＤＳ１に、重故障１の内容を示す異常コード「Ｅｒｒ．０１」と、重故障２の内容を示す異常コード「Ｅｒｒ．０２」と、軽故障１の内容を示す異常コード「ＡＬ．０１」と、軽故障２の内容を示す異常コード「ＡＬ．０２」とが、無表示期間を挾んで順次切り替えて表示されるものとなる。
【００５１】
これにより、無表示期間を間に挾んで、その表示内容の変化を大として、重故障１の内容を示す異常コードと重故障２の内容を示す異常コードとを明確に区別して、また軽故障１の内容を示す異常コードと軽故障２の内容を示す異常コードとを明確に区別して、知らせることができるようになる。
【００５２】
なお、この例では、重故障の一群の異常コードを先に表示し、次に軽故障の一群の異常コードを表示するようにしたが、軽故障の一群の異常コードを先に表示し、次に重故障の一群の異常コードを表示するようにしてもよく、重故障の異常コードと軽故障の異常コードとをばらばらに表示するようにしてもよい。
【００５３】
また、この例では、説明を簡単とするために、重故障については重故障１と重故障２の２種類、軽故障については軽故障１と軽故障２の２種類が検出されたものとしたが、さらに多種類の重故障や軽故障が検出された場合にも、同様にして、表示部ＤＳ１に、その検出された重故障の内容を示す異常コードおよび軽故障を示す異常コードが無表示期間を挟んで順次切り替えて表示されるものとなる。
【００５４】
〔実施の形態４〕
次に、上述した実施の形態３を例にとって、差圧発信器１における処理動作の具体例について説明する。図１１に差圧発信器１のハードウェア構成の概略を示す。同図において、１−１はＣＰＵ、１−２はＲＡＭ、１−３はＲＯＭ、１−４はＮＶＭ（不揮発性メモリ）、１−５は液晶表示部、Ｓ１は差圧センサ、Ｓ２は静圧センサ、Ｓ３は温度センサ、１−６〜１−８はＡ／Ｄ変換器である。差圧発信器１は、差圧センサＳ１、静圧センサＳ２，温度センサＳ３についても、その構成要素として含む。
【００５５】
ＣＰＵ３−１は、Ａ／Ｄ変換器１−６を介して入力される差圧センサＳ１からの差圧を示す信号、Ａ／Ｄ変換器１−７を介して入力される静圧センサＳ２からの静圧を示す信号、Ａ／Ｄ変換器１−８を介して入力される温度を示す信号を得て、ＲＡＭ１−２やＮＶＭ１−４にアクセスしながら、ＲＯＭ１−３に格納されているプログラムに従って動作する。
【００５６】
ＲＯＭ１−３には、本実施の形態特有のプログラムとして、差圧センサＳ１からの差圧を示す信号に各種の演算処理を施して差圧の計測値を求めて液晶表示部１−５に表示する計測値表示プログラム、予め定められている各種の異常を検出する診断プログラム、この診断プログラムに従う診断結果に基づいて液晶表示部１−５への異常コードの表示を行う異常コード表示プログラムが格納されている。
【００５７】
図１２に液晶表示部１−５における表示パターンを示す。この表示パターンにおいて、ＡＲ１は計測値の表示領域、ＡＲ２は補助的な各種情報の表示領域、ＡＲ３は計測値をバーグラフで表示する表示領域であり、表示領域ＡＲ１は７セグメント群を主要構成要素とし、表示領域ＡＲ２は１６セグメント群を主要構成要素とする。この表示パターンにおいて、表示領域ＡＲ１が実施の形態３における表示部ＤＳ１に対応する。
【００５８】
図１３に診断プログラムによって実行される重故障の診断項目およびその重故障検出時に出力される異常コードを示す。図１４に診断プログラムによって実行される軽故障の診断項目およびその軽故障検出時に出力される異常コードを示す。図１３および図１４では重要度の高い順に上からその診断項目を示している。本実施の形態では、図１３に示したような内容のテーブルＴＢ１と、図１４に示したような内容のＴＢ２とが、ＲＯＭ１−３に格納されている。
【００５９】
以下、図１５に示すフローチャートを参照して、ＲＯＭ１−３に格納された診断プログラムおよび異常コード表示プログラムに従ってＣＰＵ１−１が実行する処理動作について説明する。なお、図１５に示すフローチャートは、診断プログラムと異常コード表示プログラムとが連携して行う全体の処理動作を示している。
【００６０】
ＣＰＵ１−１は、診断プログラムを実行し、全ての診断項目について正常／異常をチェックする（ステップＳ１０１）。ここで、重故障も軽故障もなく、全て正常であれば（ステップＳ１０１の「正常」）、計測値表示プログラムによって得られる計測値を液晶表示部１−５に表示する（ステップＳ１０２）。
【００６１】
これに対し、重故障や軽故障が生じており、異常と判断されれば（ステップＳ１０１の「異常」）、その異常に重故障が含まれているか否かをチェックする（ステップＳ１０３）。ここで、重故障が含まれておらず、全てが軽故障であれば（ステップＳ１０３のＮＯ）、例えば、図６に示したように、その軽故障の内容を示す異常コードを計測値を挟んで液晶表示部１−５の表示エリアＡＲ１（ＤＳ１）に順次切り替えて表示する（ステップＳ１０４）。この場合、図１４に示したテーブルＴＢ２に従い、重要度の高い順に、軽故障の内容を示す異常コードを順次表示して行く。
【００６２】
重故障が１つでも含まれていれば（ステップＳ１０３のＹＥＳ）、例えば、図１０に示したように、計測値の表示を中止し、重故障の内容を示す異常コードと軽故障の内容を示す異常コードとを無表示期間を挟んで液晶表示部１−５の表示エリアＡＲ１（ＤＳ）に順次切り替えて表示する（ステップＳ１０５）。この場合、重故障の内容を示す異常コードは、図１３に示したテーブルＴＢ１に従い、重要度の高い順に、軽故障の内容を示す異常コードは、図１４に示したテーブルＴＢ２に従い、重要度の高い順に、順次表示して行く。なお、軽故障の内容を示す異常コードは表示せずに、重故障の内容を示す異常コードのみを表示するようにしてもよい。
【００６３】
この実施の形態４では、液晶表示部１−５における計測値の表示領域ＡＲ１を７セグメント群としたが、１６セグメント群としてもよい。７セグメントでは、１０種類の数字に加えて、いくつかのアルファベット文字を表示することが可能であるが、その数が限られている。１６セグメントとすれば、さらに表示する文字の種類を増やすことができる。
【００６４】
また、必ずしもセグメント方式としなくてもよく、ドットマトリックス方式のＬＣＤなどを用いるようにしてもよい。７セグメント群や１６セグメント群などのセグメント方式とすると、消費電力を小さくすることができるし、その構成も安価となる。
【００６５】
また、この実施の形態４では、表示部１−５を液晶表示部としたが、発光ダイオード（ＬＥＤ）、冷陰極放電灯、蛍光表示管、白熱フィラメントなどを用いた表示部としてもよい。
【００６６】
また、上述した実施の形態１〜４において、無表示期間を設ける代わりに、表示の切り替えが行われた直後、その表示を点滅させるようにしてもよい。
例えば、１つの異常コードの表示期間を３秒としたとき、表示切り替わり直後の１秒間は０．２５秒間の点滅とし、残りの２秒間は点灯させたりする。
例えば、ドットマトリクス液晶を使用する場合は、表示切替毎に反転表示させたり、カラー液晶を使用する場合は、表示切替毎に色を変えたりする。
これらの方式の場合は、切り替わり時に無表示期間を設けることは不要となるが、無表示期間と組み合わせて、より視認性を高めてもよい。
【００６７】
また、上述した実施の形態１〜４において、重故障や軽故障の異常の内容を示す情報は、必ずしも異常コードでなくてもよく、異常の内容を具体的に文字で表したメッセージとしてもよく、異常の内容を示す絵文字としてもよい。
【００６８】
図１６に実施の形態４における差圧発信器１の要部の機能ブロック図を示す。差圧発信器１は、差圧を計測する差圧計測手段１Ａと、表示部１Ｂと、異常検出手段１Ｃと、異常表示手段１Ｄとを備えている。
【００６９】
差圧計測手段１Ａは、差圧センサＳ１からの差圧を示す信号を入力とし、所定の演算処理を施して差圧の計測値を得る。表示部１Ｂにはこの差圧計測手段１Ａからの差圧の計測値が表示される。異常検出手段１Ｃは、差圧センサＳ１からの差圧を示す信号や静圧センサＳ２からの静圧を示す信号や温度センサＳ３からの温度を示す信号など種々の信号を入力とし、各種の異常を検出する。
【００７０】
異常表示手段１Ｄは、異常検出手段１Ｃで検出された異常に基づき、その異常に１つでも重故障が含まれていた場合には、計測値に代えて、重故障の内容を示す異常コードと軽故障の内容を示す異常コードとを無表示期間を挟んで表示部１Ｂに順次切り替えて表示し、その異常が全て軽故障であった場合には、その軽故障の内容を示す異常コードを計測値とともに表示部１Ｂに表示する。この差圧計測手段１Ａ、異常検出手段１Ｃ、異常表示手段１ＤはＣＰＵ１−１の処理機能として実現される。
【００７１】
なお、図１６に示した機能ブロック図では計測手段１Ａに差圧センサＳ１を含めなかったが、差圧センサＳ１や静圧センサＳ２、温度センサＳ３を含めた全体構成を計測手段１Ａとしてもよい。また、差圧センサＳ１において、差圧の計測値が得られる場合には、差圧センサＳ２が本発明でいう計測手段となる。
【００７２】
また、上述した実施の形態１では、計測機器の一例として差圧発信器を例にとって説明したが、計測機器は差圧発信器に限られるものでないことは言うまでもない。例えば、自動車などに設けられるオドメータやトリップメータへの適用も可能である。
【図面の簡単な説明】
【００７３】
【図１】本発明に係る計測機器における異常コードの表示方法の基本例を説明する図（異常が発生していない場合を示す図）である。
【図２】本発明に係る計測機器における異常コードの表示方法の基本例を説明する図（重故障（第１種の異常）が発生した場合を示す図）である。
【図３】本発明に係る計測機器における異常コードの表示方法の基本例を説明する図（軽故障（第２種の異常）が発生した場合を示す図）である。
【図４】計測値の表示桁を余分に設けて軽故障の内容を示す情報を表示するようにした例を説明する図である。
【図５】重故障が複数種類検出された場合の表示部における異常コードの表示例を説明する図である。
【図６】軽故障が複数種類検出された場合の表示部における異常コードの表示例（表示例１）を説明する図である。
【図７】軽故障が複数種類検出された場合の表示部における異常コードの表示例（表示例２）を説明する図である。
【図８】軽故障が複数種類検出された場合の表示部における異常コードの表示例（表示例３）を説明する図である。
【図９】軽故障が複数種類検出された場合の表示部における異常コードの表示例（表示例４）を説明する図である。
【図１０】重故障と軽故障とが入り混じって検出された場合の表示部における異常コードの表示例を説明する図である。
【図１１】差圧発信器のハードウェア構成の概略を示す図である。
【図１２】この差圧発信器の液晶表示部における表示パターンを示す図である。
【図１３】診断プログラムによって実行される重故障の診断項目およびその重故障検出時に出力される異常コードを示す図である。
【図１４】診断プログラムによって実行される軽故障の診断項目およびその軽故障検出時に出力される異常コードを示す図である。
【図１５】この差圧発信器のＣＰＵが実行する特徴的な処理動作を示すフローチャートである。
【図１６】この差圧発信器の要部の機能ブロック図である。
【図１７】従来の異常コードの表示方法を説明する図である。
【図１８】計測値の表示部だけを設けた場合に一般的に考えられる異常コードの表示方法を説明する図である。
【符号の説明】
【００７４】
１…差圧発信器、ＤＳ１…表示部、１−１…ＣＰＵ、１−２…ＲＡＭ、１−３…ＲＯＭ、１−４…ＮＶＭ（不揮発性メモリ）、１−５…液晶表示部、Ｓ１…差圧センサ、Ｓ２…静圧センサ、Ｓ３…温度センサ、１−６〜１−８…Ａ／Ｄ変換器、ＡＲ１，ＡＲ２，ＡＲ３…表示領域、ＴＢ１，ＴＢ２…テーブル、１Ａ…差圧計測手段、１Ｂ…表示部、１Ｃ…異常検出手段、１Ｄ…異常表示手段。
【図１】
0004984294.tif 000002
【図２】
0004984294.tif 000003
【図３】
0004984294.tif 000004
【図４】
0004984294.tif 000005
【図５】
0004984294.tif 000006
【図６】
0004984294.tif 000007
【図７】
0004984294.tif 000008
【図８】
0004984294.tif 000009
【図９】
0004984294.tif 000010
【図１０】
0004984294.tif 000011
【図１１】
0004984294.tif 000012
【図１２】
0004984294.tif 000013
【図１３】
0004984294.tif 000014
【図１４】
0004984294.tif 000015
【図１５】
0004984294.tif 000016
【図１６】
0004984294.tif 000017
【図１７】
0004984294.tif 000018
【図１８】
0004984294.tif 000019